(57)【要約】【課題】複数の記録媒体を装填可能なデジタルカメラにおいて、連写する際であっても記録媒体を効率的に活用するようにしたデジタルカメラを提供する。【解決手段】画像データを記録するための記録媒体Ａ２４５と記録媒体Ｂ２４６と、１回の手動操作に応答して１回の撮影動作を行う単写モードと、１回の手動操作に応答して連続的に撮影動作を行う連写モードとを設定するためのドライブ釦３９を備え、連写モードにて撮影された画像データについては、記録媒体Ａ２４５と記録媒体Ｂ２４６に振り分けて記録する（＃６３、＃６５、＃６７、＃７３、＃７５）。【選択図】  図８
2007274531.tif 000002
【特許請求の範囲】
【請求項１】
画像データを記録するための第１及び第２の記録媒体と、
１回の手動操作に応答して１回の撮影動作を行う単写モードと、１回の手動操作に応答して連続的に撮影動作を行う連写モードとを設定可能な設定手段と、
上記連写モードで撮影された全ての画像を上記第２の記録媒体に記録し、上記連写モードで撮影された特定の画像を上記第１の記録媒体に記録する記録制御手段と、
を具備したことを特徴とするデジタルカメラ。
【請求項２】
上記第１または第２の記録媒体の一方を選択し、選択された記録媒体に記録された画像データを順次表示可能な表示手段を具備することを特徴とする請求項１に記載のデジタルカメラ。
【請求項３】
上記特定の画像は少なくとも上記連写モードで撮影された最初の画像であることを特徴とする請求項１に記載のデジタルカメラ。
【請求項４】
上記連写モードで撮影された最初の画像とともに最後の画像を上記第１の記録媒体に記録することを特徴とする請求項３に記載のデジタルカメラ。
【請求項５】
上記単写モードで撮影された画像は上記第１の記録媒体に記録することを特徴とする請求項１に記載のデジタルカメラ。
【発明の詳細な説明】
【技術分野】
【０００１】
本発明は、連写機能を有し、複数の記録媒体を装着可能なデジタルカメラに関する。
【背景技術】
【０００２】
最近のデジタルカメラでは、シャッタ釦の操作で１駒の撮影を行う単写モードと、シャッタ釦を操作している間、撮影を繰り返し、複数駒を連続撮影する連写モードとを備えているものが多い。連写モードにおける連写速度は向上してきており、まもなく１秒間に数十駒に達することが予測されている。このように超高速の連写モードで撮影を行うと、１回の撮影で数十駒の画像ファイルが記録媒体に記録されることになる。また、記録媒体も年々大容量の提供されるようになってきているので、デジタルカメラの記録媒体には膨大な画像ファイルが記録された状態となる。
【０００３】
デジタルカメラの記録媒体に記録された画像ファイルの中から画像検索等を行うにあたって、ファイルの管理形態を工夫しないと使い勝手が悪くなってしまう。そこで、１回の連写で得られた複数の画像をグループ化してフォルダ管理をすることが提案されている（特許文献１）。一方、連写速度が速くなると、それほど差の無い画像が大量に記録されることになり、記録媒体の容量が足りなくなるという問題もある。そこで、不要な画像を記録媒体に残さないための技術として、連続撮影の終了後に記録媒体に保存するか否かの指示をできるようにした電子カメラが提案されている（特許文献２）。また、記録媒体としてメモリカードとハードディスクドライブが併設されており、連写モードで撮影された画像データについてはハードディスクドライブに記録するようにした電子カメラが提案されている〈特許文献３〉。
【０００４】
【特許文献１】特開平１１−３４１４２１号公報
【特許文献２】特開２００１−７８１３６号公報
【特許文献３】特開２０００−３５２７５８号公報
【発明の開示】
【発明が解決しようとする課題】
【０００５】
特許文献１に開示されたような連続撮影した複数の画像をフォルダ管理するやり方は、管理のためには有効であるが、記録媒体の容量自体は同じであることから、記録媒体が直ぐに一杯になってしまうという問題は解消することはできない。また、特許文献２に開示されたような指示操作のために次の撮影までに時間がかかり、シャッタチャンスを逃してしまう虞がある。さらに、特許文献３に開示されたような記録方法では、過去の撮影画像を再生表示する際に、いずれか一方の画像しか見ることができず不便である。
【０００６】
本発明はこのような事情に鑑みてなされたものであって、連写する際であっても記録媒体を効率的に活用し、かつ再生表示の際にも使い易いデジタルカメラを提供することを目的とする。
【課題を解決するための手段】
【０００７】
上記目的を達成するために第１の発明に係わるデジタルカメラは、画像データを記録するための第１及び第２の記録媒体と、１回の手動操作に応答して１回の撮影動作を行う単写モードと、１回の手動操作に応答して連続的に撮影動作を行う連写モードとを設定可能な設定手段と、上記連写モードで撮影された全ての画像を上記第２の記録媒体に記録し、上記連写モードで撮影された特定の画像を上記第１の記録媒体に記録する記録制御手段を具備する。
【０００８】
また、第２の発明に係わるデジタルカメラは、上記第１の発明において、上記第１または第２の記録媒体の一方を選択し、選択された記録媒体に記録された画像データを順次表示可能な表示手段を具備する。
【０００９】
さらに、第３の発明に係わるデジタルカメラは、上記第１の発明において、上記特定の画像は少なくとも上記連写モードで撮影された最初の画像であることを特徴とする。
【００１０】
さらに、第４の発明に係わるデジタルカメラは、上記第３の発明において、上記連写モードで撮影された最初の画像とともに最後の画像を上記第１の記録媒体に記録することを特徴とする。
さらに、第５の発明に係わるデジタルカメラは、上記第１の発明において、上記単写モードで撮影された画像は上記第１の記録媒体に記録することを特徴とする。
【発明の効果】
【００１１】
本発明によれば、連写モードで撮影された全ての画像を第２の記録媒体に記録し、連写モードで撮影された特定の画像を第１の記録媒体に記録するようにしたので、連写する際であっても記録媒体を効率的に活用し、かつ再生表示の際にも使い易いデジタルカメラを提供することができる。
【発明を実施するための最良の形態】
【００１２】
以下、図面に従って本発明を適用したデジタル一眼レフカメラを用いて好ましい一実施形態について説明する。図１は、本発明の実施形態に係るデジタル一眼レフカメラの全体構成を示すブロック図であり、交換レンズ１００とカメラ本体２００とから構成される。本実施形態では、交換レンズ１００とカメラ本体２００は別体で構成され、通信接点３００にて電気的に接続されているが、交換レンズ１００とカメラ本体２００を一体に構成することも可能である。
【００１３】
交換レンズ１００の内部には、焦点調節および焦点距離調節用のレンズ１０１、１０２と、開口量を調節するための絞り１０３が配置されている。レンズ１０１およびレンズ１０２はレンズ駆動機構１０７によって駆動され、絞り１０３は絞り駆動機構１０９によって駆動されるよう接続されている。レンズ駆動機構１０７、絞り駆動機構１０９はそれぞれレンズＣＰＵ１１１に接続されており、このレンズＣＰＵ１１１は通信接点３００を介してカメラ本体２００に接続されている。レンズＣＰＵ１１１は交換レンズ１００内の制御を行うものであり、レンズ駆動機構１０７を制御してピント合わせや、ズーム駆動を行うとともに、絞り駆動機構１０９を制御して絞り値制御を行う。
【００１４】
カメラ本体２００内には、被写体像を観察光学系に反射するためにレンズ光軸に対して４５度傾いた位置と、被写体像を撮像素子(後述のＣＣＤ２２１)に導くために跳ね上がった位置との間で、回動可能な可動ミラー２０１が設けられている。この可動ミラー２０１の上方には、被写体像を結像するためのフォーカシングスクリーン２０５が配置され、このフォーカシングスクリーン２０５の上方には、被写体像を左右反転させるためのペンタプリズム２０７が配置されている。このペンタプリズム２０７の出射側(図１で右側)には被写体像観察用の接眼レンズ２０９が配置され、この脇であって被写体像の観察に邪魔にならない位置に測光センサ２１１が配置されている。この測光センサ２１１は被写体像を分割して測光する多分割測光素子で構成されている。
【００１５】
上述の可動ミラー２０１の中央付近はハーフミラーで構成されており、この可動ミラー２０１の背面には、ハーフミラー部で透過した被写体光をカメラ本体２００の下部に反射するためのサブミラー２０３が設けられている。このサブミラー２０３は、可動ミラー２０１に対して回動可能であり、可動ミラー２０１が跳ね上がっているときには、ハーフミラー部を覆う位置に回動し、可動ミラー２０１が被写体像観察位置にあるときには、図示する如く可動ミラー２０１に対して垂直となる位置にある。この可動ミラー２０１はミラー駆動機構２１９によって駆動されている。また、サブミラー２０３の下方には測距用センサを含む測距回路２１７が配置されており、この回路は、レンズ１０１、１０２によって結像される被写体像の焦点ズレ量を測定するための回路である。
【００１６】
可動ミラー２０１の後方には、露光時間制御用のフォーカルプレーンタイプのシャッタ２１３が配置されており、このシャッタ２１３はシャッタ駆動機構２１５によって駆動制御される。シャッタ２１３の後方には撮像素子としてのＣＣＤ（Charge Coupled Devices）２２１が配置されており、レンズ１０１、１０２によって結像される被写体像を電気信号に光電変換する。なお、本実施形態では撮像素子としてＣＣＤを用いているが、これに限らずＣＭＯＳ（Complementary Metal Oxide Semiconductor）等の二次元撮像素子を使用できることはいうまでもない。ＣＣＤ２２１はＣＣＤ駆動回路２２３に接続され、このＣＣＤ駆動回路２２３によってアナログデジタル変換（ＡＤ変換）がなされる。ＣＣＤ駆動回路２２３はＣＣＤインターフェース２２５を介して画像処理回路２２７に接続されている。この画像処理回路２２７は色補正、ガンマ(γ)補正、コントラスト補正といった各種の画像処理を行う。
【００１７】
画像処理回路２２７は、ＡＳＩＣ（Application Specific Integrated Circuit 特定用途向け集積回路）２７１内のデータバス２６１に接続されている。このデータバス２６１には、画像処理回路２２７の他、後述するシーケンスコントローラ(以下、「ボディＣＰＵ」と称す)２２９、圧縮回路２３１、フラッシュメモリ制御回路２３３、ＳＤＲＡＭ制御回路２３６、入出力回路２３９、通信回路２４１、記録媒体制御回路２４３、ビデオ信号出力回路２４７、スイッチ検出回路２５３が接続されている。
【００１８】
データバス２６１に接続されているボディＣＰＵ２２９は、このデジタル一眼レフカメラのフローを制御するものである。またデータバス２６１に接続されている圧縮回路２３１はＳＤＲＡＭ２３７に記憶された画像データをＪＰＥＧやＴＩＦＦで圧縮するための回路である。なお、画像圧縮はＪＰＥＧやＴＩＦＦに限らず、他の圧縮方法も適用できる。データバス２６１に接続されているフラッシュメモリ制御回路２３３は、フラッシュメモリ（Flash Memory）２３５に接続され、このフラッシュメモリ２３５は、一眼レフカメラのフローを制御するためのプログラムが記憶されており、ボディＣＰＵ２２９はこのフラッシュメモリ２３５に記憶されたプログラムに従ってデジタル一眼レフカメラの制御を行う。なお、フラッシュメモリ２３５は、電気的に書換可能な不揮発性メモリである。ＳＤＲＡＭ２３７は、ＳＤＲＡＭ制御回路２３６を介してデータバス２６１に接続されており、このＳＤＲＡＭ２３７は、画像処理回路２２７によって画像処理された画像データまたは圧縮回路２３１によって圧縮された画像データを一時的に記憶するためのバッファメモリである。
【００１９】
上述の測光センサ２１１、シャッタ駆動機構２１５、測距回路２１７およびミラー駆動機構２１９に接続される入出力回路２３９は、データバス２６１を介してボディＣＰＵ２２９等の各回路とデータの入出力を制御する。レンズＣＰＵ１１１と通信接点３００を介して接続された通信回路２４１は、データバス２６１に接続され、ボディＣＰＵ２２９等とのデータのやりとりや制御命令の通信を行う。データバス２６１に接続された記録媒体制御回路２４３は、記録媒体Ａ２４５と記録媒体Ｂ２４６に接続され、この記録媒体Ａ２４５および記録媒体Ｂ２４６への画像データ等の記録の制御を行う。記録媒体Ａ２４５および記録媒体Ｂ２４６は、ｘDピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２００に対して着脱自在となっている。その他、通信接点を介してハードディスクを接続可能に構成してもよい。なお、記録媒体Ａ２４５および記録媒体Ｂ２４６は同種の媒体でも、異種の媒体の組み合わせでも良いが、例えば、記録媒体Ａ２４５として大容量のコンパクトフラッシュとし、記録媒体Ｂ２４６として小型で使い易いｘＤピクチャーカードにするといった組み合わせが考えられる。また、本実施形態では、連写モードの場合には記録媒体Ｂ２４６に記録するようにしているので、連写モードによる撮影が多い場合には、記録媒体Ｂ２４６を大容量の記録媒体を選択するようにしても良い。
【００２０】
データバス２６１に接続されたビデオ信号出力回路２４７は液晶モニタ駆動回路２４９を介して液晶モニタ２６に接続される。ビデオ信号出力回路２４７は、ＳＤＲＡＭ２３７、記録媒体Ａ２４５または記録媒体Ｂ２４６に記憶された画像データを、液晶モニタ２６に表示するためのビデオ信号に変換するための回路である。液晶モニタ２６はカメラ本体２００の背面に配置されるが（後述する図２参照）、撮影者が観察できる位置であれば、背面に限らないし、また液晶に限らず他の表示装置でも構わない。シャッタレリーズ釦の第1ストロークや第２ストロークを検出するスイッチ、再生モードを指示するスイッチ、ＩＳＯ設定モードを指示するスイッチ、ホワイトバランス設定を指示するスイッチ、ドライブモードを設定するためのスイッチ、液晶モニタ２６の画面でカーソルの動きを指示するするスイッチ、撮影モードを指示するスイッチ、選択された各モード等を決定するＯＫスイッチ、画質を指示するスイッチ等の各種スイッチ３５５は、スイッチ検出回路２５３を介してデータバス２６１に接続されている。
【００２１】
次に、本発明の適用されたデジタル一眼レフカメラについて図２に示す背面からみた外観斜視図を用いて説明する。
カメラ本体２００の上面にはレリーズ釦２１、モードダイヤル２２、コントロールダイヤル２４等が配置されている。レリーズ釦２１は、撮影者が半押しするとオンする第１レリーズスイッチと、全押しするとオンする第２レリーズスイッチを有している。この第１レリーズスイッチ（以下、１Ｒと称する）のオンによりカメラは焦点検出、撮影レンズのピントあわせ、被写体輝度の測光等の撮影準備動作を行い、第２レリーズスイッチ（以下、２Ｒと称する）のオンによりＣＣＤ２２１の出力に基づいて被写体像の画像データの取り込みを行う撮影動作を実行する。
【００２２】
モードダイヤル２２は回転可能に構成された操作部材であり、図５に示すモードダイヤル２２上に設けられた撮影モードを表す絵表示または記号に指標５１に合致させることにより、フルオート撮影モード（ＡＵＴＯ）、プログラム撮影モード（Ｐ）、絞り優先撮影モード（Ａ）、シャッタ撮影優先モード（Ｓ）、マニュアル撮影モード（Ｍ）、ポートレート撮影モード５２、風景撮影モード５３、マクロ撮影モード５４、スポーツ撮影モード５５、夜景撮影モード５６の各撮影モードを選択することができる。ここで、フルオート撮影モード（ＡＵＴＯ）は、レンズの絞り値、シャッタ速度をカメラで自動的に設定し、暗いときにはフラッシュ（不図示）が自動的にポップアップし、フラッシュ撮影を可能とするモードである。一般的な記念撮影にはこのモードで十分である。プログラム撮影モード（Ｐ）は適正露光となる絞り値とシャッタ速度をカメラが自動的に決めて設定するモードである。絞り優先撮影モード（Ａ）は、絞り値を撮影者が設定すると、適正露光となるシャッタ速度をカメラ自動的に決めて設定するモードである。シャッタ優先撮影モード（Ｓ）は、シャッタ速度を撮影者が設定すると、適正露光となる絞り値をカメラが自動的に決めて設定するモードである。マニュアル撮影モード（Ｍ）は、絞り値とシャッタ速度を撮影者が設定するモードである。
【００２３】
ポートレート撮影モード５２は、人物撮影をするのに最適なモードであり、風景撮影モード５３は、風景を撮影するのに最適なモードであり、マクロ撮影モード５４は被写体に近接した撮影を行うのに最適なモードであり、スポーツ撮影モード５５はスポーツなどの動きのある被写体を撮影するのに最適なモードであり、夜景撮影モード５６は、夜景と人物を一緒に撮影するのに最適なモードである。コントロールダイヤル２４は、シャッタ速度、絞り値、ＩＳＯ感度、補正値等の撮影情報の設定を行うための操作部材であり、回転操作により種々の設定値の変更を行うことができる。ここで、スポーツ撮影モード５５を選択すると、ドライブモードとして連写モードが自動的に設定される。
【００２４】
カメラ本体２００の背面には、液晶モニタ２６、再生釦２７、メニュー釦２８、アップ用十字釦３０Ｕ、ダウン用十字釦３０Ｄ、右用十字釦３０Ｒ、左用十字釦３０Ｌ（これらの各十字釦３０Ｕ、３０Ｄ、３０Ｒ、３０Ｌを総称する際には、十字釦３０と称する）、ＯＫ釦３１、高画質設定釦３３、標準画質設定釦３４、ホワイトバランス釦３７、ＩＳＯ感度釦３８が配置されている。ドライブ釦３９、液晶モニタ２６は、撮影済みの被写体像を再生表示し、また、撮影条件やメニューを表示するための表示装置である。これらの表示を行うことができるものであれば、液晶に限らない。再生釦２７は、撮影後に記録した被写体画像を液晶モニタ２６に表示させることを指示するための操作釦である。前述のＳＤＲＡＭ２３７、記録媒体Ａ２４５や記録媒体Ｂ２４６にＪＰＥＧ等の圧縮モードで記憶されている被写体の画像データを伸張して表示する。
【００２５】
十字釦３０は液晶モニタ２６上で、Ｘ方向とＹ方向の２次元方向にカーソルの移動を指示するための操作部材であり、また、後述するように、記録媒体に記録された被写体像を表示するにあたって、記録媒体の指示にも使用する。なお、アップ、ダウン、左、右用の４つの釦を設ける以外にも、タッチスイッチのように２次元上で操作方向を検出できるスイッチ等の２次元方向に操作できるスイッチに置き換えることも可能である。ＯＫ釦３１は、十字釦３０やコントロールダイヤル２４等によって選択された各種項目を確定するための操作部材である。メニュー釦２８は、このデジタルカメラの各種モードを設定するためのメニューモードに切換えるための釦であり、このメニュー釦２８の操作によってメニューモードを選択すると、液晶モニタ２６にメニュー画面が表示される。メニュー画面は複数の階層構造となっており、十字釦３０で各種項目を選択し、ＯＫ釦３１の操作により選択を決定する。
【００２６】
高画質設定釦３３は、撮影者がプリント等に使用する等の用途のために高画質で撮影を行いたい場合に高画質モードを設定するための操作釦である。また、標準画質設定釦３４は、撮影者が電子メール添付等に使用するためにデータ容量を抑えて撮影したい場合に標準画質モードを設定するための操作釦である。なお、前述のメニュー釦２８の操作によって画質設定のためのモードを選択し、ＲＡＷ、ＴＩＦＦ、ＳＨＱ、ＳＱの各モード、画像サイズ、圧縮形式を選択することにより、上記高画質モードおよび標準画質モード以外の画質を選択することもできる。
【００２７】
ホワイトバランス釦３７は、ホワイトバランスを設定するための操作釦であり、このホワイトバランス釦３７を操作することによって、液晶モニタ２６に、オート、太陽光、曇天、日陰、電球、蛍光灯１〜３、ワンショット等の各モードが表示され、前述のコントロールダイヤル２４の回転操作によって選択し、ＯＫ釦３１の操作によって決定することができる。ＩＳＯ感度釦３８は、ＩＳＯ感度を設定するための操作釦であり、このＩＳＯ感度釦３８を操作するによって、液晶モニタ２６に、オート、感度１００〜１６００の各感度が表示され、前述のコントロールダイヤル２４の回転操作によって選択し、ＯＫ釦３１の操作によって決定することができる。カメラ任せにする場合には、オートを選択し、撮影意図がある場合には、感度１００〜１６００の範囲内で撮影者が任意に設定することができる。ドライブ釦３９は、ドライブモードを設定するための操作釦であり、このドライブ釦３９を操作することによって、液晶モニタ２６に図６に示されるような設定画面が表示される。この設定画面において、単写、連写、セルフ２秒（レリーズ釦２１を操作してから２秒経過後にシャッタが切れる）、セルフ１２秒（レリーズ釦２１を操作してから１２秒経過後にシャッタが切れる）、リモコン０秒（リモコン装置を操作すると同時にシャッタが切れる）、リモコン２秒（リモコン装置を操作してから２秒後にシャッタが切れる）のいずれかを、前述のコントロールダイヤル２４の回転操作によって選択し、ＯＫ釦３１の操作によって決定することができる。
【００２８】
カメラ本体２００の側面には、記録媒体収納蓋４０が開閉自在に取り付けられている。図３に図示する如く、この記録媒体収納蓋４０を開放すると、この内部に記録媒体Ａ２４５用の装填スロット４１と、記録媒体Ｂ２４６用の装填スロット４２が設けられている。これらの記録媒体Ａ２４５と記録媒体Ｂ２４６はカメラ本体２００に対して、脱着自在に装填可能となっている。
【００２９】
次に、図４を用いて、カメラ本体２００の表示および動作モードの概略について説明する。
情報表示Ｍ１００はカメラ本体２００の電源スイッチがオンとなったときの状態であり、この状態でメニュー釦２８を操作しオンとすると、液晶モニタ２６にメニュー設定表示がなされ、この状態で十字釦３０Ｕ、３０Ｄ、３０Ｌ、３０Ｒを操作して各種項目を選択し、ＯＫ釦３１を操作し決定することにより、メニュー設定動作は終了し、情報表示Ｍ１００に戻る。メニュー設定表示により、前述の画質モードの選択の他に、フラッシュモード、フラッシュ補正モード、タイマ撮影、連写・単写切換、オートフォーカス方式（シングルＡＦとコンティニュアスＡＦ）等の各モードの設定を行うことができる。また、撮影モード、ＩＳＯ感度またはホワイトバランス調整といった撮影条件の設定動作Ｍ１２０は、モードダイヤル２２、ホワイトバランス釦３７、ＩＳＯ釦３８を操作することによって、この設定動作Ｍ１２０に入る。この設定動作Ｍ１２０に入ると、コントロールダイヤル２４を操作することによって各撮影条件を選択することができ、ＯＫ釦３１をオンとすることによって各種の撮影条件を決定し、情報表示Ｍ１００に戻る。
【００３０】
情報表示Ｍ１００の状態において、レリーズ釦２１を半押しすることによって、１Ｒスイッチがオンとなり、撮影動作Ｍ１３０に入り、レリーズ釦２１から手を離し、半押しが解除されることによって情報表示Ｍ１００に戻る。この撮影動作Ｍ１３０では、撮影準備動作を行い、それに続いて、レリーズ釦２１を全押しすることによって、ＣＣＤ２２１から被写体像の光電変換信号を取り込み、画像処理回路２２７によって画像処理の上、画像データを記録媒体Ａ２４５または記録媒体Ｂ２４６に記録動作を行う。また、情報表示Ｍ１００において、再生釦２７を操作しオンとすることによって再生動作Ｍ１４０を実行する。再生動作Ｍ１４０は、記録媒体Ａ２４５または記録媒体Ｂ２４６に記録されている画像データに基づいて、液晶モニタ２６に記録画像の表示を行うものであって、十字釦３０の操作により撮影駒の指示を行うことができる。
【００３１】
次に、前述の撮影動作Ｍ１３０について、図７に示すフローチャートを用いて、その詳細を説明する。
レリーズ釦２１の半押しがなされると撮影動作に入り、測光センサ２１１の出力に基づいて被写体輝度の測定を行う（＃２１）。ここで得た被写体輝度に基づいてシャッタ速度及び／又は絞り値を演算により求める（＃２３）。なお、ここで、求めるシャッタ速度及び／または絞り値は、前述の撮影モードにしたがって行う。この後、測距回路２１７の出力に基づいて撮影レンズ１０１、１０２のピントズレ量を演算で求め、このズレ量に基づいて、レンズＣＰＵ１１１を介してレンズ駆動回路１０７を駆動しピント合わせを行う。
【００３２】
撮影レンズ１０１、１０２のピント合わせが終了したら、次に、レリーズ釦２１の全押しによってオンとなる第２レリーズスイッチがオンか否かかの判定を行い（＃２７）、オンではない場合には、レリーズ釦２１の半押しによってオンとなる第１レリーズスイッチがオンか否かかの判定を行う（＃２９）。判定の結果、オンであった場合には、レリーズ釦は半押し状態ではあるが、全押し状態とはなっていないので、ステップ＃２７と＃２９を繰り返し行う待機状態となる。ステップ＃２９にてレリーズ釦２１から手が離れ、第１レリーズスイッチがオフとなった場合には、ＮＯで抜けて、元のルーチンに戻る。
【００３３】
一方、レリーズ釦２１が全押しされると、ステップ＃２７にて第２レリーズスイッチがオンとなり、＃３１以下のステップで、実際に撮像を行い画像データの記録を行うための処理を実行する。まず、可動ミラー２０１のアップ動作を行い（＃３１）、これによって、撮影レンズ１０１、１０２を透過した被写体光はＣＣＤ２２１上に被写体像として結像する。続いて、絞り１０３の絞込み動作を開始し（＃３３）、ＣＣＤ２２１による撮像を開始する。同時にシャッタ２１３の先幕の走行を開始し、所定時間経過後に後幕の走行を開始させる（＃３７）。この後、ＣＣＤ２２１による撮像を停止し（＃３９）、ＣＣＤ駆動回路２２３は画像信号の読み出しを行い、画像処理回路２２７による画像処理を実行する（＃４１）。この画像処理された画像データはバッファメモリとしてのＳＤＲＡＭ２３７に格納される（＃４３）。続いて、絞り１０３を開放状態に復帰させ（＃４５）、可動ミラー２０１をダウンさせ（＃４７）、ファインダ光学装置を被写体像観察状態にする。
【００３４】
この後、撮影モードが連写モードになっているか否かを判定し（＃４９）、連写モードと判定された場合には、レリーズ釦が全押し状態のままか否かを判定する（＃５１）。全押しのまま、即ち、第２レリーズスイッチがオンであった場合には、ステップ＃３１に戻り、撮影を繰り返す。また、レリーズ釦から手が離れ、第２レリーズスイッチがオフとなると連写は終了する（＃５１でＮＯ）。ステップ＃４９にて連写モードでなかった場合と、連写モードを終了した場合には、ステップ＃５３に進み、ＳＤＲＡＭ２３７等のバッファメモリに記憶していた画像データを記録媒体（メモリカード）Ａ２４５または記録媒体Ｂ２４６に記録するが（＃５３）、詳細は後述する。このメモリカードに記録するためのサブルーチンの詳細については後述する。続いて、レリーズ釦が半押し状態のままか、即ち、第１レリーズスイッチがオンであるか否かを判定し、オンの場合には、そのまま待機状態でオフとなるのを待ち、オフとなったら、パワーオンリセットルーチンに戻る（＃５５）。
【００３５】
次に、前述のステップ＃５３のサブルーチン「メモリカードに記録」について、図８に示すフローチャートを用いて、その詳細を説明する。
まず、バッファメモリとしてのＳＤＲＡＭ２３７に記憶されている画像データの読み出しを行う（＃６１）。続いて、連写モードに設定されているか否かについて判定する（＃６５）。これは前述のドライブ釦３９の操作により連写モードが設定されたか、またはスポーツ撮影モードの設定によって自動的に連写モードが設定されたか否かを基に判定する。連写モードでなかった場合には、単写モードであるので、Ｎｏで抜けてステップ＃７７に進み、識別コードとして単写を示す「Ｓ」をセットして記録媒体Ａ２４５に、画像データを記録する。記録が終了すると、ステップ＃７９に進み、ＳＤＲＡＭ２３７に一時記憶された画像（ステップ＃７７で記録した画像のオリジナル画像データ）を消去して、図７に示す撮影動作のルーチンに戻る。
【００３６】
ステップ＃６３に戻り、連写モードであると判定されると、Ｙｅｓで抜けてステップ＃６５に進み、連写の１枚目か否かの判定を行う。判定の結果、連写モードでの撮影の最初の駒であった場合には、Ｙｅｓで抜け、ステップ＃６７において、連写識別コードとして「Ｃ」をセットして、記録媒体Ａ２４５と記録媒体Ｂ２４６の両方の記録媒体に、画像データを記録する。本実施形態においては、連写モードでの撮影の最初の駒については、特定画像として両方の記録媒体に画像を記録するようにしている。画像の記録が終了すると、続いて、ステップ＃６９に進み、ＳＤＲＡＭ２３７に一時記憶された画像のうちステップ＃６７で記録した画像データを消去する。次に、ステップ＃７１に進み、バッファメモリとしてのＳＤＲＡＭ２３７に記憶されている一連の連写の全画像データが、記録媒体Ａ２４５または記録媒体Ｂ２４６に記録されたか否かの判定を行う。全画像データについて記録が終了していない場合には、ステップ＃６１に戻り、前述のステップを繰り返す。一方、ステップ＃７１にて、一連の連写の全画像データが記録媒体に記録を終了していると判定された場合には、図７に示す撮影動作のルーチンに戻る。
【００３７】
ステップ＃６５に戻り、連写１枚目ではないと判定された場合には、Ｎｏで抜けて、ステップ＃７３に進み、連写モードにおける最後の駒かの判定を行う。判定の結果、最後の駒ではなかった場合には、連写識別コードとして「Ｃ」をセットして、記録媒体Ｂ２４６に画像データを記録する（＃７５）。本実施形態においては、連写モードでの撮影の最初と最後の駒でなければ、すなわち連写の途中の駒については、記録媒体Ｂ２４６に画像を記録するようにしている。記録が終了すると、ステップ＃６９に進み、前述のステップを繰り返す。ステップ＃７３に戻り、連写モードでの撮影の最後であれば、Ｙｅｓで抜け、前述のステップ＃６７にて記録媒体Ａ２４５と記録媒体Ｂ２４６の両方の記録媒体に画像データを記録する。
【００３８】
次に、連写と単写モードが混在する場合における記録媒体Ａ２４５と記録媒体Ｂ２４６への記録態様について説明する。画像データの記録にあたっては、記録媒体ごとに、図１０（Ａ）に示すように、各画像データはセクタ１〜セクタｎの画像格納領域に記録され、各画像データとリンクしてファイル情報がファイル情報管理領域に記録される。つまり、セクタ１に画像データを記録する際に、この画像データの管理情報がファイル情報１として記録される。図１０（Ａ）に示すファイル管理情報と画像格納領域は記録媒体ごとに作成される。そして、このファイル管理情報の内容は、図１０（Ｂ）に示すように、記録媒体Ａと記録媒体Ｂで分けて記録されており、それぞれファイル名、撮影した日時情報、各記録媒体での記録領域を示す使用セクタ、連写と単写を識別するための識別記号からなっている。ここで識別記号の「Ｃ」は連写モードを、「Ｓ」は単写モードを表す。
【００３９】
一例として、連写と単写が図９に示すように撮影される場合を説明する。この例では、１駒目が単写、２駒目も単写、３駒目から７駒目が連写、８駒目と９駒目がそれぞれ単写、１１駒目と１２駒目が連写、１２駒目と１３駒目がそれぞれ単写で撮影されている。前述したように、単写で撮影された画像データは記録媒体Ａ２４５に記録され、連写で撮影された画像データの最初と最後は記録媒体Ａ２４５と記録媒体Ｂ２４６の両方に記録され、この中間は記録媒体Ｂ２４６に記録される。したがって、記録媒体Ａ２４５には、１駒目、２駒目、３駒目、７駒目、８駒目、９駒目、１０駒目、１１駒目、１２駒目、１３駒目が記録され、一方、記録媒体Ｂ２４６には、３駒目、４駒目、５駒目、６駒目、７駒目、１０駒目、１１駒目が記録されている。したがって、図１０（Ｂ）に示すように、記録媒体Ａ２４５と記録媒体Ｂ２４６の各ファイル管理情報には、上述の各駒の情報が識別されて記録される。
【００４０】
次に、前述の再生動作Ｍ１４０について、図１１に示すフローチャートを用いて、その詳細を説明する。
再生釦２７の操作がなされると再生動作に入り、まず記録媒体Ａ２４５を選択する（＃１６１）。これは、記録媒体に記録されている画像データを読み出すにあたって、デフォルト値として記録媒体Ａ２４５を指定しておくものである。続いて、記録媒体Ａ２４５に記録されている最新画像データの読み出しを行い（＃１６３）、この読み出された画像データに基づいて、液晶モニタ２６に最新画像の表示を行う（＃１６５）。なお、後述するステップ＃１７７において、記録媒体Ｂ２４６が選択された後に、ステップ＃１６３に戻った場合には、記録媒体Ｂ２４６に記録されている画像データを読み出す。
【００４１】
ステップ＃１６７に進み、アップ用十字釦３０Ｕがオンか否かの判定を行い、オンの場合、即ち操作された場合には、ステップ＃１６１に戻り、記録媒体Ａ２４５の選択を行う。アップ用十字釦３０Ｕが操作されていなかった場合には、ステップ＃１６９に進み、ダウン用十字釦３０Ｄがオンか否かの判定を行い、オンであった場合には、記録媒体Ｂ２４６を選択する。これは、再生モードにおいては、アップ用十字釦３０Ｕは記録媒体Ａ２４５を選択するための釦であり、またダウン用十字釦３０Ｄは記録媒体Ｂ２４６を選択するための釦として割り当てられていることから、アップ用またはダウン用十字釦３０Ｕ、３０Ｄが操作されたかどうかを判定し、記録媒体の選択を行っている。なお、ステップ＃１６７にて十字釦３０Ｕが操作された場合に、デフォルト値として記録媒体Ａ２４５が選択されているにも係わらず、再びステップ＃１６１に戻り記録媒体Ａ２４５を再選択しているのは、ステップ＃６９にて記録媒体Ｂ２４６が選択された後に、記録媒体Ａ２４５が選択される場合があるためである。
【００４２】
ステップ＃１６７または＃１６９において、画像データの再生を行う記録媒体を選択した後、読み出し対象となる駒の選択を行う。即ち、ステップ＃１７１において、右用十字釦３０Ｒが操作されたか否かの判定を行い、操作された場合には、１駒、後の画像データの読み出しを行う。ステップ＃１７１においてＮｏだった場合には、ステップ＃１７３に進み、左用十字釦３０Ｌが操作されたか否かの判定を行い、操作された場合には、１駒、前の画像データの読み出しを行う。ステップ＃１７９または＃１８１において、所定の画像の読み出しを行った後は、ステップ＃１６５に戻り、読み出した画像の表示を行う。
【００４３】
十字釦３０Ｕ、３０Ｄ、３０Ｒ、３０Ｌのいずれも操作されていなかった場合には、ステップ＃１７５に進み、再生釦２７のオンか否かの判定を行う。再生動作は、一度再生釦２７が操作されオンとなった時にスタートし、次に再生釦が操作されてオンとなった時に終了するので、ステップ＃１７５にて再生釦オンかでＮｏの場合には、再生動作を続行するためにステップ＃１６７に戻る。一方、再生釦オンかでＹｅｓの場合には、再度、再生釦２７が操作されたので、再生動作を終了し、元のルーチンに戻る。
【００４４】
以上の再生動作について図９を用いて説明する。ここで、記録媒体Ａ２４５と記録媒体Ｂ２４６には、前述の通り記憶されている。この状態で、再生動作に入ると、最初は、ステップ＃１６１において、記録媒体Ａが選択されており、例えば１駒目が液晶モニタ２６に表示される（ステップ＃１６５）。次にステップ＃１６７および＃１６９において、記録媒体の選択がなされずに、ステップ＃１７１において右側十字釦３０Ｒが操作されると、次の駒である２駒目が読み出され（＃１７９）、液晶モニタ２６に表示され、順次、右側十字釦３０Ｒが操作されると、続いて、３駒目、７駒目、８駒目、９駒目・・・がそれぞれ読み出され、表示される。また、左側十字釦３０Ｌが操作されると（＃１７３）、１３駒目、１２駒目、１１駒目、１０駒目、９駒目、８駒目・・・の順に液晶モニタ２６の表示が移っていく。このように記録媒体Ａ２４５を選択すると、連写モードの特定画像としての最初と最後の駒および単写モードで撮影された駒が順次、液晶モニタ２６に表示されるので、大量に撮影された画像の中から目的とする画像をすばやく検索することができる。
【００４５】
一方、ダウン十字釦３０Ｄが操作されると（＃１６９）、記録媒体Ｂ２４６が選択され（＃１７９）、右側十字釦３０Ｒが操作されるたびに、３駒目、４駒目、５駒目、６駒目、７駒目、１０駒目、１１駒目の順に表示が移っていく。また、左側十字釦３０Ｌが操作されると（＃１７３）、１１駒目、１０駒目、７駒目、６駒目、５駒目、４駒目、３駒目の順に液晶モニタ２６の表示が移っていく。なお、これらの駒の表示は上記順番に沿って表示されるものであるが、常に１駒目や１２駒目から表示がスタートするものではない。このように記録媒体Ｂ２４６を選択すると、連写モードで撮影した一連の画像が順次、液晶モニタ２６に表示されるので、連写での撮影の中から撮影者の意図に沿った画像をすばやく検索することができる。
【００４６】
記録画像の表示にあたって、十字釦３０の左右にある右側十字釦３０Ｒと左側十字釦３０Ｌを、駒送りの操作部材として使用すると共に、十字釦３０の上下にアップ十字釦３０Ｕとダウン十字釦３０Ｄを記録媒体、すなわち単写モードで撮影された画像が記録された記録媒体Ａ２４５と、連写モードで撮影された画像が記録された記憶媒体Ｂ２４６の切換に使用しているので、記録画像の検索が容易にすることができる。なお、本実施形態では、駒送りは十字釦３０の左右の釦に割り当て、記録媒体の切換は十字釦３０の上下の釦に割り当てたが、これとは逆に割り当ても良いことは勿論である。また、その他の応用例として、記録媒体の切り換えに他の釦と併用したり、専用釦を設けたりしても良い。
【００４７】
上述したように本実施形態では、連写モードで撮影した場合に、記録媒体Ａ２４５と記録媒体Ｂ２４６に振り分けて記録するようにしたので、効率良く画像データの記録ができる。特に、連写モードの場合には、最初と最後の駒を特定の画像として記録媒体Ａ２４５と記録媒体Ｂ２４６の両方に記録するようにしたので、記録媒体Ａ２４５を選択して再生するだけで、単写と連写の全体の画像を一目で見渡すことが簡単にできる。なお、本実施形態では、連写モードの場合、最初と最後の駒のみを記録媒体Ａ２４５するようにしていたが、これに限らず、例えば、これらに加えて、中間の駒を記録するとか、数駒おきに記録するようにしてもよく、また最初や最後の駒を記録せずに、途中の駒を記録するようにしてもよい。また、記録媒体としては２個、装填するようにしていたが、これに限らず、３個以上とし、適宜、振り分けるようにしても構わない。
【００４８】
本実施形態では、画像データを記録するための第１及び第２の記録媒体、すなわち記録媒体Ａ２４５と記録媒体Ｂ２４６と、１回の手動操作に応答して１回の撮影動作を行う単写モードと、１回の手動操作に応答して連続的に撮影動作を行う連写モードとを設定可能な設定手段（ドライブ釦３９）を備え、連写モードにて撮影された画像データについては、第１と第２の記録媒体（記録媒体Ａ２４５と記録媒体Ｂ２４６）に振り分けて記録する（＃６３、＃６５）ようにしたので、記録媒体を効率的に活用することができる。
【００４９】
また、本実施形態では、連写モードで撮影された特定の画像のみを第１の記録媒体（記録媒体Ａ２４５）に記録するようにしたので、記録媒体Ａ２４５に連写モードの一部が記録されていることから、画像データの検索に大変便利である。さらに、連写モードで撮影された最初の画像を第１の記録媒体（記録媒体Ａ２４５）に記録するようにしたので、検索するにあたって大変探し易い。また、連写モードで撮影された最初の画像とともに最後の画像を第１の記録媒体に記録するようにしたので、さらに一層、検索することが容易となる。さらに、連写モードで撮影された全ての画像を第２の記録媒体（記録媒体Ｂ２４６）に記録し、連写モードで撮影された特定の画像を第１の記録媒体（記録媒体Ａ２４５）に記録するようにしたので、効率的に複数の記憶媒体に振り分けて記録され、連写モード全体の画像を検索したい場合と、単写と連写の両方を含む全体の画像を検索したい場合には容易に検索することができ、大変便利である。
【００５０】
なお、本実施形態においては、デジタルカメラとして一眼レフタイプに適用した例を説明したが、本発明はデジタル一眼レフカメラに限らず、例えば、コンパクトタイプ等のデジタルカメラにも適用でき、さらには、携帯電話に設けられたデジタルカメラにも適用できることは、勿論である。
【図面の簡単な説明】
【００５１】
【図１】本発明を適用した一実施形態におけるデジタル一眼レフカメラの全体構成を示すブロック図である。
【図２】本発明の一実施形態におけるデジタル一眼レフカメラを背面から見た外観斜視図である。
【図３】本発明の一実施形態における記録媒体Ａと記録媒体Ｂの装填状態を示す斜視図である。
【図４】本発明の一実施形態における表示と動作モードを示すブロック図である。
【図５】本発明の一実施形態におけるモードダイヤルを示す平面図である。
【図６】本発明の一実施形態におけるドライブモード設定用表示画面を示す図である。
【図７】本発明の一実施形態における撮像動作を示すフローチャートである。
【図８】本発明の一実施形態におけるメモリカードに記録動作を示すフローチャートである。
【図９】本発明の一実施形態における単写と連写モードで撮影した画像データの記録媒体への記録の態様を示す図である。
【図１０】本発明の一実施形態におけるファイル管理情報を示す図表である。
【図１１】本発明の一実施形態における再生動作を示すフローチャートである。
【符号の説明】
【００５２】
２１  レリーズ釦
２２  モードダイヤル
２４  コントロールダイヤル
２６  液晶モニタ
２７  再生釦
２８  メニュー釦
３０  十字釦
３７  ホワイトバランス釦
３８  ＩＳＯ感度釦
３９  ドライブ釦
４０  記録媒体収納蓋
４１  記録媒体Ａ用装填スロット
４２  記録媒体Ｂ用装填スロット
１００  交換レンズ
１０１  １０２  レンズ
２２１  ＣＣＤ
２２９  シーケンスコントローラ(ボディＣＰＵ)
２４３  記録媒体制御回路
２４５  記録媒体Ａ
２４６  記録媒体Ｂ
【図６】
2007274531.tif 000003
【図１】
2007274531.tif 000004
【図２】
2007274531.tif 000005
【図３】
2007274531.tif 000006
【図４】
2007274531.tif 000007
【図５】
2007274531.tif 000008
【図７】
2007274531.tif 000009
【図８】
2007274531.tif 000010
【図９】
2007274531.tif 000011
【図１０】
2007274531.tif 000012
【図１１】
2007274531.tif 000013